(57)【特許請求の範囲】
【請求項１】
壁板Ｗの裏側に位置する壁裏支持体１に、その中央部と一側端部との間を移動自在に雄ねじ４の基部を連結し、この壁裏支持体１が壁板Ｗに穿設された壁穴１０から出入可能に設け、一方、壁板Ｗの表側に突出する前記雄ねじ４には、手摺７を取付可能なベース部材５を雌ねじ９により取り付け、ベース部材５と壁裏支持体１とで壁板Ｗを挟み込んでベース部材５を壁板Ｗに固定するよう構成したことを特徴とする浴室用手摺の取付構造。
【請求項２】
前記ベース部材５と手摺７とを一体構成としたことを特徴とする請求項１に記載の浴室用手摺の取付構造。
【請求項３】
壁板の裏側に位置する壁裏支持体１に、その中央部と一側端部との間を移動自在に雄ねじ４の基部を連結し、この壁裏支持体１が壁板Ｗに穿設された壁穴１０から出入可能に設け、一方、壁板Ｗの表側に突出する前記雄ねじ４には、雌ねじ９によりベース部材５を取り付け、ベース部材５と壁裏支持体１とで壁板Ｗを挟み込んでベース部材５を壁板Ｗに固定するよう構成し、前記雄ねじ４に手摺７を取り付けたことを特徴とする浴室用手摺の取付構造。
【発明の詳細な説明】
【０００１】
【産業上の利用分野】
本発明は、浴室用手摺を既設のユニットバスの壁面にも取り付けることができる浴室用手摺の取付構造に関するものである。
【０００２】
【従来の技術】
現在の高齢化社会に対応して、一般家庭においても浴室内に手摺を設置するところが増えている。そして、その手摺の取付構造は、手摺本体を浴室壁面にスクリューねじ等で固定するのが一般的である。
しかしながら、現在の一般家庭における浴室はユニットバスが広く普及しており、これにスクリューねじ等で手摺を固定するにはユニットバスの壁板厚が薄いため、前記スクリューねじ等が固定手段として十分に機能しない。そのために、取付位置の壁裏に補強材等を設けなければならず、既設のユニットバスに手摺を取り付けることは極めて困難である。
【０００３】
【発明が解決しようとする課題】
そこで本発明は、既設のユニットバスにも浴室内側から簡単かつ確実に取り付けることができる浴室用手摺の取付構造を提供することを目的としている。
【０００４】
【課題を解決するための手段】
本発明は上記課題を解決するために、次のようにした。
まず、壁板Ｗの裏側に位置する壁裏支持体１に、その中央部と一側端部との間を移動自在に雄ねじ４の基部を連結し、この壁裏支持体１が壁板Ｗに穿設された壁穴１０から出入可能に設け、一方、壁板Ｗの表側に突出する前記雄ねじ４には、手摺７を取付可能なベース部材５を雌ねじ９により取り付け、ベース部材５と壁裏支持体１とで壁板Ｗを挟み込んでベース部材５を壁板Ｗに固定するよう構成した。
【０００５】
また、前記ベース部材５と手摺７とを一体構成とした。
【０００６】
さらに、壁板Ｗの裏側に位置する壁裏支持体１に、その中央部と一側端部との間を移動自在に雄ねじ４の基部を連結し、この壁裏支持体１が壁板Ｗに穿設された壁穴１０から出入可能に設け、一方、壁板Ｗの表側に突出する前記雄ねじ４には、雌ねじ９によりベース部材５を取り付け、ベース部材５と壁裏支持体１とで壁板Ｗを挟み込んでベース部材５を壁板Ｗに固定するよう構成し、手摺７を前記雄ねじ４に取り付けた。
【０００７】
【作用】
ユニットバス壁板の手摺を取り付ける位置に、浴室内側から穴を明ける。そして、雄ねじを端部に位置させた壁裏支持体を、その穴に挿入する。雄ねじが端部に位置しているから、簡単に壁裏支持体を壁裏に通すことができる。壁裏に壁裏支持体を通した後、この壁裏支持体は自重により落下し、雄ねじが中央に位置するところで止まる。この状態では壁裏支持体が穴から手前に抜けることがない。
【０００８】
そして、ベース部材を穴から突出している雄ねじに雌ねじで取り付ける。雌ねじを締めていけば、壁裏支持体とベース部材とで壁板を挟み込んで固定される。最後に、この壁板に固定されたベース部材に手摺を取り付ける。
【０００９】
また、前記ベース部材は手摺一体としてもよい。さらに、手摺を雄ねじの先端部に取り付ける構成としても何ら問題はない。
【００１０】
【実施例】
以下、本発明の実施例を図面に基づき詳細に説明する。
１は帯状の板部材からなる壁裏支持体であり、その断面よりもやや大きい筒内形状を有する矩形パイプからなる筒体２の内側部に遊嵌されている。そしてこの壁裏支持体１には、筒体２が中央部から一側端部までの間を移動可能に、その範囲を規制するストッパー３がそれぞれ設けられている。一方、前記筒体２の側面部には、壁裏支持体１と直交する方向に雄ねじ４が突設されている。すなわち、図２に示すように、雄ねじ４が壁裏支持体１の中央部と一側端部との間を自由に移動できるようになっている。
【００１１】
５は板部材からなるベース部材であり、前記雄ねじ４が挿通可能な穴６が穿設されている。そして、このベース部材５には手摺７の端部を嵌着可能なパイプ部材からなる取付部材８が一体的に設けられている。また、９は前記雄ねじ４に螺合する雌ねじである。
【００１２】
前記ベース部材５をユニットバスの壁板Ｗに取り付けるには、まずその取り付け位置に壁穴１０を明け、そこに壁裏支持体１を、筒体２が位置しない側の端部から挿入する。このとき、雄ねじ４が壁裏支持体１の中央部にあると壁裏支持体１は壁穴１０を通過することができない。そこで、図３に示すように筒体２を壁裏支持体１の端部に移動させると、この壁裏支持体１を簡単に壁板Ｗの裏側に通すことができる。
【００１３】
図４に示す状態になると、壁裏支持体１が自重により落下し、筒体２がその中央に位置される。その後、壁板Ｗの手前に突出した雄ねじ４にベース部材５を雌ねじ９で取り付けると、図５に示すように、ベース部材５は壁板Ｗを壁裏支持体１とこのベース部材５により挟み込んで固定される。したがって、このベース部材５に一体的に設けられた取付部材８に手摺７を取り付ければ、図６のようにユニットバスの壁板Ｗに手摺７を設けることができる。
【００１４】
図７は、前記したベース部材５の壁板Ｗへの取付手順において、壁裏支持体１を壁穴１０に挿入する前に、まず雄ねじ４にベース部材５を組み付けておく場合の側面図を示す。この場合も、壁裏支持体１を前記手順と同様に壁穴１０に挿入し、その後、雄ねじ４に螺合している雌ねじ９を締めてベース部材５を壁板Ｗに固定すればよい。この手順によると、壁穴１０よりも大きいベース部材５により、誤って壁板Ｗの裏側に壁裏支持体１を落としてしまう心配がない。
【００１５】
図８は、ベース部材５と手摺７を、ベース部材５を壁板Ｗへ取り付ける前に一体的に設けた場合の実施例を示す。この場合も取付手順は前記と同様であるが、雌ねじ９の締め付け作業ができるように、穴６を図のように手摺７の取り付け位置からずらしておく必要がある。
【００１６】
図９は、手摺７を雄ねじ４の先端部に取り付けた場合を示す。図中１１は中央部にねじ穴が設けられた板金具であり、手摺７の先端部に固着されている。そして、このねじ穴に雄ねじ４を螺合し、先にこの雄ねじ４に螺合しておいた雌ねじ１２を締めることにより、手摺７と雄ねじ４が連結固定される。なお、この手摺７と雄ねじ４との固定は、ベース部材５を壁板Ｗへ取り付ける前、すなわち壁裏支持体１を壁穴１０に挿入する前に行っておく。このとき、雄ねじ４は手摺７と一体となり回転しないので、壁裏支持体１を壁穴１０に挿入する際に、その壁裏支持体１の向きを気にしなくてよい。なお、１３は化粧カバーを示す。
【００１７】
また、何らかの理由によりベース部材５を壁板Ｗから取り外さなければならないときは、図１０に示すように、壁裏支持体１の上端に筒体２が移動するように、雄ねじ４を反転させる。すると、前記取付手順と逆の手順により、壁裏支持体１を壁穴１０から取り出すことができる。
【００１８】
【発明の効果】
以上に説明したように、本発明の浴室用手摺の取付構造によれば、既設のユニットバスにも浴室内側からの作業で簡単かつ確実に手摺を取り付けることができる。また、手摺の取付位置も任意に設定できる。
【図面の簡単な説明】
【図１】本発明にかかる手摺取付構造の一例を示す斜視図
【図２】要部の拡大斜視図
【図３】壁裏支持体の挿入方法を示す側面図
【図４】壁裏支持体の作用を説明する側面図
【図５】ベース部材を壁板に取り付けた状態を示す側面図
【図６】壁板に取り付けた手摺の全体斜視図
【図７】壁裏支持体にベース部材を先に取り付けた場合の挿入状態を示す側面図
【図８】手摺とベース部材を先に一体に設けた場合の一例を示す斜視図
【図９】手摺を雄ねじに取り付けた場合の取付部側面図
【図１０】壁裏支持体の取り出し方法を示す側面図
【符号の説明】
１  壁裏支持体
４  雄ねじ
５  ベース部材
７  手摺
９  雌ねじ
１０  壁穴
Ｗ  壁板
【図１】
0003600853.tif 000002
【図２】
0003600853.tif 000003
【図３】
0003600853.tif 000004
【図４】
0003600853.tif 000005
【図５】
0003600853.tif 000006
【図６】
0003600853.tif 000007
【図７】
0003600853.tif 000008
【図８】
0003600853.tif 000009
【図９】
0003600853.tif 000010
【図１０】
0003600853.tif 000011